(57)【要約】【課題】本発明は、照明制御システムに関し、使用者がスイッチのロック状態を把握できる照明制御システムを得ることを目的とする。【解決手段】本発明に係る照明制御システムは、照明器具と、ボタンを備え、通常状態のとき該ボタンの操作により該照明器具の点灯状態を制御し、該ボタンの操作による点灯状態の制御が無効となるロック状態のときに該ボタンが操作されると、ロック通知信号を送信するスイッチと、該ロック通知信号を受信すると、該スイッチが該ロック状態であることを使用者に通知するコントローラと、を備える。【選択図】図１
2019185983.tif 000002
【特許請求の範囲】
【請求項１】
照明器具と、
ボタンを備え、通常状態のとき前記ボタンの操作により前記照明器具の点灯状態を制御し、前記ボタンの操作による点灯状態の制御が無効となるロック状態のときに前記ボタンが操作されると、ロック通知信号を送信するスイッチと、
前記ロック通知信号を受信すると、前記スイッチが前記ロック状態であることを使用者に通知するコントローラと、
を備えることを特徴とする照明制御システム。
【請求項２】
前記コントローラは、前記スイッチが前記通常状態のとき前記ボタンの操作に応じて前記照明器具に点灯状態を制御する命令信号を送信し、前記スイッチが前記ロック状態のとき前記ボタンの操作によって前記命令信号を送信しないことを特徴とする請求項１に記載の照明制御システム。
【請求項３】
前記スイッチは、前記通常状態から前記ロック状態に切り替わるときに、前記ロック通知信号を前記コントローラに送信することを特徴とする請求項１または２に記載の照明制御システム。
【請求項４】
前記スイッチの状態を、前記通常状態から前記ロック状態へ、または、前記ロック状態から前記通常状態へ切り替える切り替え部を備えることを特徴とする請求項１から３の何れか１項に記載の照明制御システム。
【請求項５】
前記切り替え部は前記ボタンを備え、
前記ボタンで切り替え操作が実施されると、前記スイッチの状態が切り替わることを特徴とする請求項４に記載の照明制御システム。
【請求項６】
前記スイッチは、前記ボタンを複数備え、
前記複数のボタンが同時に操作されると、前記スイッチの状態が切り替わることを特徴とする請求項５に記載の照明制御システム。
【請求項７】
前記複数のボタンが同時に押された状態が一定時間維持されることで、前記スイッチの状態が切り替わることを特徴とする請求項６に記載の照明制御システム。
【請求項８】
設定器を備え、
前記スイッチは前記ボタンを複数備え、
前記複数のボタンのうち１つのボタンで前記切り替え操作が実施された場合に、前記複数のボタンについて点灯状態の制御の有効、無効が切り替わるか、または、前記１つのボタンについて点灯状態の制御の有効、無効が切り替わるかが、前記設定器により設定されることを特徴とする請求項５に記載の照明制御システム。
【請求項９】
前記スイッチは不揮発性記憶部を備え、
前記不揮発性記憶部には前記切り替え操作が記憶されることを特徴とする請求項５から８の何れか１項に記載の照明制御システム。
【請求項１０】
前記切り替え部は、前記スイッチの状態を遠隔操作により切り替える設定器を備えることを特徴とする請求項５から９の何れか１項に記載の照明制御システム。
【請求項１１】
前記設定器による状態の切り替えと、前記ボタンによる状態の切り替えのうち、一方を有効にすること、両方を有効にすること、または両方を無効にすることが、前記設定器により設定されることを特徴とする請求項１０に記載の照明制御システム。
【請求項１２】
前記スイッチは表示部を備え、
前記表示部は、前記ロック状態での前記ボタンの操作、前記通常状態から前記ロック状態への切り替え、または、前記ロック状態から前記通常状態への切り替えを使用者に通知することを特徴とする請求項１から１１の何れか１項に記載の照明制御システム。
【請求項１３】
前記スイッチは表示部を備え、
前記コントローラは、前記ロック状態で前記ボタンが操作されたことを前記表示部により使用者に通知することを特徴とする請求項１から１２の何れか１項に記載の照明制御システム。
【発明の詳細な説明】
【技術分野】
【０００１】
本発明は、照明制御システムに関する。
【背景技術】
【０００２】
特許文献１には、制御信号の出力をロックする設定およびロックの解除をスイッチ部の操作により行う壁スイッチ装置が開示されている。この壁スイッチ装置では、操作手順に従いスイッチ部の手動操作が行われると、スイッチ部のオンオフの手動操作に応じた制御信号が伝送線に出力されることが停止される。
【先行技術文献】
【特許文献】
【０００３】
【特許文献１】特開２００７−８７８０３号公報
【発明の概要】
【発明が解決しようとする課題】
【０００４】
特許文献１では、一定時間内に壁スイッチを連続操作することで操作ロック状態に移行する。しかし、通常の使用状態においてユーザーが連続して照明器具のオンオフ操作を行い、意図せず操作ロック状態に移行する可能性がある。さらに、ユーザーが解除方法を認識していない場合は、操作ロックを解除することができず、トラブルとなることが考えられる。
【０００５】
また、特許文献１では、操作ロック状態において信号が伝送線に出力されない。このため、壁スイッチが操作ロック状態であるという情報は壁スイッチが保持し、照明制御システムのコントローラには伝えられない。従って、壁スイッチが操作ロック状態であることを管理者が把握できない。
【０００６】
本発明は、上述の課題を解決するためになされたもので、使用者がスイッチのロック状態を把握できる照明制御システムを得ることを目的とする。
【課題を解決するための手段】
【０００７】
本発明に係る照明制御システムは、照明器具と、ボタンを備え、通常状態のとき該ボタンの操作により該照明器具の点灯状態を制御し、該ボタンの操作による点灯状態の制御が無効となるロック状態のときに該ボタンが操作されると、ロック通知信号を送信するスイッチと、該ロック通知信号を受信すると、該スイッチが該ロック状態であることを使用者に通知するコントローラと、を備える。
【発明の効果】
【０００８】
本発明に係る照明制御システムでは、ロック状態のときにボタンが操作されると、スイッチからコントローラにロック通知信号が送信され、コントローラはスイッチがロック状態であることを使用者に通知する。従って、使用者がスイッチのロック状態を把握できる。
【図面の簡単な説明】
【０００９】
【図１】実施の形態１に係る照明制御システムのブロック図である。
【図２】実施の形態１に係る照明器具を説明する図である。
【図３】実施の形態１に係るスイッチの正面図である。
【図４】実施の形態３に係る表示部の設定パラメータの一例を示す表である。
【図５】操作優先度を説明する表である。
【図６】実施の形態６に係るスイッチのブロック図である。
【発明を実施するための形態】
【００１０】
本発明の実施の形態に係る照明制御システムについて図面を参照して説明する。同じ又は対応する構成要素には同じ符号を付し、説明の繰り返しを省略する場合がある。
【００１１】
実施の形態１．
図１は、実施の形態１に係る照明制御システム１００のブロック図である。照明制御システム１００は、コントローラ１、複数の照明器具２、リレー端末３、人感センサ４、照度センサ５、スイッチ６等の照明システムを構成する機器と、端末装置８と、データ設定器１０とを備える。
【００１２】
コントローラ１は、スイッチ６の操作、人感センサによる人の検出情報または照度センサによる照度値の検出等に応じて、複数の照明器具２に命令信号を送信し点灯状態を制御する。
【００１３】
各々の照明器具２は、光源と光源の点灯回路を有する。光源は、例えばＬＥＤである。光源は蛍光ランプ、白熱電球、有機ＥＬ（Ｅｌｅｃｔｒｏ−Ｌｕｍｉｎｅｓｃｅｎｃｅ）等でもよい。照明器具２は、コントローラ１から受信する命令信号に応じて点灯、消灯、調光または調色を行う。
【００１４】
リレー端末３は、コントローラ１から受信する命令信号に応じて、複数の照明器具２の電源をオンオフする。人感センサ４は、エリア内の人の存在または不在を検出し、検出した情報をコントローラ１へ送信する。照度センサ５はエリア内の照度を検知し、照度情報をコントローラ１へ送信する。
【００１５】
スイッチ６はボタンを備える。スイッチ６はコントローラ１と制御通信線７で接続され、ボタンを押下すると押下情報をコントローラ１へ送信する。ボタンの操作により、照明器具２の点灯状態が制御され、または、リレー端末３がオンオフされる。スイッチ６は例えば壁スイッチである。
【００１６】
端末装置８は、コントローラ１とＬＡＮ（Ｌｏｃａｌ  Ａｒｅａ  Ｎｅｔｗｏｒｋ）通信線９で接続される。端末装置８は入力部を有する。使用者は入力部からスイッチ６等の機能設定、照明器具２またはリレー端末３等の機器の制御および状態のモニタを行う。端末装置８は例えばパーソナルコンピュータである。端末装置８の入力部は、例えばパーソナルコンピュータの画面である。
【００１７】
複数の照明器具２、リレー端末３、人感センサ４、照度センサ５およびスイッチ６は、コントローラ１と制御通信線７を介して接続される。複数の照明器具２、リレー端末３、人感センサ４、照度センサ５およびスイッチ６は、コントローラ１と２線式シリアル通信で双方向通信を行う。
【００１８】
データ設定器１０は例えばリモコンである。また、スイッチ６は赤外線の送信部および受信部を備える。データ設定器１０は、スイッチ６との間で赤外線通信によるデータの送受信を行う。データ設定器１０はスイッチ６と制御通信線７を介して、コントローラ１と通信する。これにより、データ設定器１０は端末装置８と同等の機能設定、照明器具２またはリレー端末３等の機器の制御および状態のモニタが可能になる。
【００１９】
また、ＬＡＮ通信線９、制御通信線７、赤外線等の通信媒体、および、これらを用いた通信方式は上述したものに限定されず、有線通信または無線通信でデータを伝送できれば良い。
【００２０】
照明器具２、リレー端末３、人感センサ４、照度センサ５およびスイッチ６は１台のコントローラ１にそれぞれ１台が接続されても良く、１台のコントローラ１に複数台が接続されても良い。照明システムの態様に応じて、照明制御システム１００の全体構成が決められる。
【００２１】
図２は、実施の形態１に係る照明器具２を説明する図である。照明器具２は光源１３と、光源１３を点灯させる電源装置１２を備える。電源装置１２は上述の点灯回路を備える。また、照明器具２は、後述する制御ユニット１１を搭載してもよい。
【００２２】
コントローラ１は照明器具２に点灯状態を制御する命令信号を送信する。制御ユニット１１は命令信号を受け、命令信号を調光信号８０に変換する。調光信号８０は電源装置１２を制御する信号であり、例えばＰＷＭ（Ｐｕｌｓｅ  Ｗｉｄｔｈ  Ｍｏｄｕｌａｔｉｏｎ）信号またはデジタル信号である。調光信号８０を電源装置１２が受信することで、光源１３は調光制御される。
【００２３】
通信機能を持たない照明器具に制御ユニット１１を搭載することで、通信機能を有する照明器具２を構成できる。制御ユニット１１が命令信号を調光信号８０に変換することで、コントローラ１から調光制御ができる。例えば、人感センサ４または照度センサ５が検出した情報に応じて、コントローラ１は命令信号を送信し、照明器具２を制御しても良い。また、照明器具２の状態を制御ユニット１１がコントローラ１に送信することで、端末装置８またはデータ設定器１０から照明器具２の状態をモニタできる。
【００２４】
図３は、実施の形態１に係るスイッチ６の正面図である。図３を用いてスイッチ６について説明する。スイッチ６は押下用の複数のボタン１４〜２１を備える。スイッチ６に搭載されるボタン１４〜２１の数は１個以上であれば良く、例えば１個、２個、３個、４個または８個であっても良い。
【００２５】
複数の照明器具２、リレー端末３、人感センサ４、照度センサ５およびスイッチ６には、固有のアドレスまたはグループ番号が割り当てられている。グループ番号は、複数の照明器具２等の複数のアドレスを一括指定して命令信号を送信する際に用いる番号である。データ設定器１０または端末装置８によって、複数のボタン１４〜２１の各々には、複数の照明器具２等の機器のアドレスがそれぞれ割り付けられる。また、複数のボタン１４〜２１の各々に、グループ番号が割り付けられても良い。これらの複数のボタン１４〜２１へのアドレスまたはグループ番号の割付データは、コントローラ１およびスイッチ６に設定され、記憶される。
【００２６】
スイッチ６のボタン１４〜２１の何れかが押下された場合は、押下されたボタンに割り付けられた割付データがコントローラ１に送信される。コントローラ１は、割付データに対応するアドレスまたはグループ番号と命令信号とからなる伝送信号を発信する。ここで、命令信号は、コントローラ１に接続される機器のオンオフ指令または照明器具２の点灯状態を制御する調光制御指令等を含む。
【００２７】
伝送信号を受けた照明器具２およびリレー端末３等の機器は、伝送信号の割付データに対応するアドレスまたはグループ番号と、固有のアドレスが一致した場合、命令信号に応じた制御を実施する。例えば、照明器具２では光源１３の点灯、消灯または調光制御が実施され、リレー端末３ではオンオフ制御が実施される。
【００２８】
スイッチ６がスイッチ６自身のアドレスを保持しても良い。この場合、ボタン１４〜２１の何れかが押下されると、スイッチ６はコントローラ１へ、スイッチ６のアドレスと、押下されたボタンのアドレスであるチャンネル情報とを送信する。コントローラ１には、スイッチ６のアドレスおよびボタン１４〜２１のチャンネル番号と、コントローラ１に接続された機器との割付情報が予め設定されている。コントローラ１は割付情報に基づき、受信したアドレスおよびチャンネル番号に対応する機器のアドレスを、命令信号とともに発信する。
【００２９】
次に、スイッチ６の通常状態とロック状態の切替えについて説明する。スイッチ６が通常状態のとき、ボタン１４〜２１の押下操作により、コントローラ１に接続された機器の制御が実施される。押下されたボタンに割付けられた機器が照明器具２の場合、スイッチ６は照明器具２の点灯状態を制御する。
【００３０】
また、スイッチ６がロック状態のとき、ボタン１４〜２１の操作によるコントローラ１に接続された機器の制御が無効になる。押下されたボタンに割付けられた機器が照明器具２の場合、ロック状態では、ボタン１４〜２１の操作による点灯状態の制御が無効となる。
【００３１】
照明制御システム１００は、スイッチ６の状態を、通常状態からロック状態へ、または、ロック状態から通常状態へ切り替える切り替え部を備える。本実施の形態では、切り替え部はボタン１４〜２１である。ボタン１４〜２１で切り替え操作が実施されると、スイッチ６の状態が切り替わる。切り替え操作は、例えば、ボタン１４〜２１の何れかを一定時間押し続ける操作である。一定時間は例えば５秒である。
【００３２】
これに対し、照明器具２の電源のオンオフ等の制御は、ボタン１４〜２１の通常押下で実施される。ここで、通常押下は、短時間の押下であり、例えば押下された状態を維持する時間が０．５秒未満である場合を示す。このため、通常時はボタン１４〜２１が長押しされることは無い。切り替え操作を、ボタン１４〜２１の長押しとすることで、スイッチ６が誤ってロック状態に切り替わることを防止できる。
【００３３】
スイッチ６は、切り替え操作前に通常状態であった場合には、切り替え操作によりロック状態に移行する。これにより、ボタン１４〜２１に割り付けられた機器に対するスイッチ６による通常押下操作による制御は無効になる。また、スイッチ６は、切り替え操作前にロック状態であった場合には、切り替え操作によりロック状態が解除され通常状態に移行する。なお、ロック状態と通常状態の切替え回数に制限はなく、何度でも切替え操作ができるものとする。
【００３４】
ロック状態のときにボタン１４〜２１が操作されると、スイッチ６はロック通知信号をコントローラ１に送信する。通常状態のときにボタン１４〜２１の操作に応じてスイッチ６が送信する信号と、ロック通知信号とは異なる。ロック通知信号は、ロック中にボタン１４〜２１が操作されたことをコントローラ１に通知する信号である。
【００３５】
スイッチ６が通常状態のとき、コントローラ１は、ボタン１４〜２１の操作に応じて照明器具２、リレー端末３等の機器に命令信号を送信する。これに対し、コントローラ１はロック通知信号を受信しても命令信号を送信しない。つまり、コントローラ１は、スイッチ６がロック状態のときにボタン１４〜２１の操作があった場合には、命令信号を送信しない。さらに、後述するようにコントローラ１は、ロック通知信号を受信すると、スイッチ６がロック状態であることを使用者に通知することができる。
【００３６】
一般に、スイッチ６にロック機能を設けることは、一時的にスイッチ６の機能を無効にしたい場合、または、スイッチ６の誤操作による不要な照明制御を防止したい場合に有効である。一般に、ロック状態はスイッチ６により設定される。本実施の形態では、コントローラ１がスイッチ６から送信されたロック通知信号を受信することで、スイッチ６がロック状態であることをコントローラ１が把握できる。従って、照明制御システム１００の管理がし易くなる。
【００３７】
ロック通知信号は、ボタン１４〜２１による制御がロックされた照明器具２等の機器を特定する情報を含んでも良い。つまり、ロック通知信号は押下されたボタンに割り付けられたアドレスまたはグループ番号を含んでも良い。これにより、コントローラ１は、ボタン１４〜２１による制御がロックされた機器のアドレスまたはグループ番号を把握することができる。
【００３８】
また、コントローラ１は、ロック通知信号を受信した日時等の受信履歴を残しても良い。これにより、例えば使用者からの動作不具合クレームがあった場合に、管理者が不具合情報とスイッチ６の状態を照合できる。また、ロック通知信号の受信回数を確認することで、ロック状態におけるスイッチ６の誤操作の回数を確認できる。これにより、誤操作防止機能の有効性を確認できる。
【００３９】
また、スイッチ６がアドレスを保持する場合、ロック通知信号は、ロック状態であるスイッチ６を特定する情報を含んでも良い。スイッチ６を特定する情報は、スイッチ６のアドレスである。ロック通知信号にスイッチ６のアドレスが付加されることで、コントローラ１はロック状態であるスイッチ６を特定できる。
【００４０】
コントローラ１は、スイッチ６がロック状態のときにボタン１４〜２１が操作されたことを端末装置８に表示させ、管理者に通知しても良い。使用者のロック操作によりスイッチ６の操作を禁止している場合などには、コントローラ１から端末装置８にロック通知信号を瞬時に送信し、端末装置８は監視画面に警報表示を出しても良い。また、端末装置８の画面にポップアップ画面を出現させることによって、禁止操作が行われたことを管理者に通報しても良い。これにより、禁止操作されたスイッチ６の設置箇所等を管理者が直ちに特定できる。
【００４１】
スイッチのみが通常状態またはロック状態のモードを保持し、ロック状態のときスイッチが通信コマンド自体を発信しない従来の構成の場合、ロック状態においても上位のコントローラの認識は、スイッチが押されていない状態と同様である。このため、コントローラは現在のスイッチのモードを把握できない。これに対し本実施の形態では、コントローラ１がロック通知信号を受信することで、スイッチ６のモードを把握できる。また、スイッチ６のモードを端末装置８に表示させることで使用者がモードを管理できる。
【００４２】
本実施の形態の変形例として、スイッチ６は、ロック状態でボタン１４〜２１が操作されたときに限らず、通常状態からロック状態に切り替わるときに、ロック通知信号をコントローラ１に送信しても良い。この場合、ロック状態に移行した時点でコントローラ１はロック状態を把握できる。
【００４３】
また、ロック状態に移行した時点でコントローラ１がロック状態を把握していれば、ロック通知信号は、通常状態においてボタン１４〜２１の操作によりスイッチ６から送信される信号と同じスイッチ６の押下信号であっても良い。この場合、コントローラ１は、ボタン１４〜２１の操作による信号を受信すると、スイッチ６の状態に応じて命令信号を送信するかどうか判断する。コントローラ１は、ボタン１４〜２１の操作による信号を受信すると、通常状態では命令信号を送信し、ロック状態では命令信号を送信しない。
【００４４】
また、本実施の形態では切り替え操作があったことをスイッチ６が判断する。これに限らず、切り替え操作があったことをコントローラ１が判断しても良い。この場合、ボタン１４〜２１の操作によりスイッチ６からコントローラ１に、ボタン１４〜２１の押し時間を含む信号が送信されると、コントローラ１はボタン１４〜２１の操作が切り替え操作であるかを判断する。コントローラ１が、切り替え操作があったと判断した場合、コントローラ１はスイッチ６の状態を通常状態からロック状態へ、または、ロック状態から通常状態へ移行させる信号を送信する。この場合も、ロック状態に移行した時点でコントローラ１がスイッチ６のロック状態を把握できる。
【００４５】
また、照明制御システム１００は図１に示されるものに限らず、少なくとも照明器具２とスイッチ６とコントローラ１を備えれば良い。例えば、照明制御システム１００は照明器具２を１つ以上備えれば良く、リレー端末３、人感センサ４、照度センサ５等の機器は用途に応じて削除または追加しても良い。
【００４６】
また、スイッチ６は図３に示されるものに限らない。スイッチ６は、照明器具２の電源のオンオフ等を指令する情報を入力できれば良い。例えば、スイッチ６のボタン１４〜２１はタッチパネル式であっても良い。
【００４７】
これらの変形は以下の実施の形態に係る照明制御システムについて適宜応用することができる。なお、以下の実施の形態に係る照明制御システムについては実施の形態１との共通点が多いので、実施の形態１との相違点を中心に説明する。
【００４８】
実施の形態２．
スイッチ６のボタン１４〜２１には、アドレスまたはグループ番号が割り付けられた機器のオンオフ機能の他に、調光率または色温度のアップ、ダウン操作の機能が割り当てられても良い。本実施の形態では、複数のボタン１４〜２１は、照明器具２の調光率または色温度を上昇させるボタンと、下降させるボタンとを含む。
【００４９】
スイッチ６では、ボタン１４〜２１が通常押下されると、予め定められた調光率単位または色温度単位で調光率または色温度が上昇または下降する。調光率単位は例えば５％であり、色温度単位は例えば５０ケルビンである。
【００５０】
この場合、実施の形態１と同様に、ボタン１４〜２１の何れかを一定時間押し続ける切り替え操作により、スイッチ６の状態を切り替えることができる。つまり、調光率または色温度を変更するための通常押下と、切り替え操作が異なるため、スイッチ６は通常押下と切り替え操作を判別できる。
【００５１】
また、スイッチ６は、照明器具２の調光率または色温度を上昇させるボタンまたは下降させるボタンの連続押下により、調光率または色温度を変化させても良い。連続押下は、ボタンを一定時間押し続ける操作である。つまり、連続押下はボタンの長押しである。一定時間は例えば２秒である。この場合、ボタンの押下中は単位時間あたりに予め定められた値だけ、調光率または色温度が上昇または下降する。例えば、ボタンの押下中は２５０ｍｓ毎に調光率が１０％変化する。これにより、調光率または色温度が連続的に変化する。
【００５２】
この場合、複数のボタン１４〜２１が同時に押された状態が一定時間維持されることで、スイッチ６の状態が切り替わる。例えば、照明器具２の調光率または色温度を上昇させるボタンと、下降させるボタンを同時に一定時間押し続けることで、スイッチ６は、通常状態からロック状態へ、または、ロック状態から通常状態へ移行する。一定時間は、例えば５秒である。
【００５３】
これにより、スイッチ６は、長押しによる調光率または色温度の連続的な変更操作と、スイッチ６の状態の切り替え操作とを判別できる。ボタン１４〜２１の長押しに限らず、複数のボタン１４〜２１が同時に操作されることで、スイッチ６の状態が切り替わっても良い。
【００５４】
実施の形態３．
実施の形態３について、図３を用いて説明する。スイッチ６は表示部２２〜３７を備える。表示部２２〜３７はＬＥＤ表示である。表示部２２〜２９は緑色ＬＥＤであり、表示部３０〜３７は赤色ＬＥＤである。ボタン１４〜２１には、表示部２２〜２９と表示部３０〜３７がそれぞれ設けられる。
【００５５】
ボタン１４〜２１は、チャンネル番号を保持する。ボタン１４〜２１のチャンネル番号は、それぞれＣＨ１〜ＣＨ８である。スイッチ６が通常状態のときボタン１４を押下すると、スイッチ６からコントローラ１へボタン１４に対応するＣＨ１の押下情報が送信される。コントローラ１は押下されたボタン１４に割り付けられた照明器具２またはリレー端末３等のアドレスまたはグループ番号と、命令信号を送信する。これにより、照明器具２またはリレー端末３が命令信号に従いオンオフ動作する。
【００５６】
この時、ＣＨ１の押下情報を受信したコントローラ１は、ＣＨ１の表示指令をスイッチ６へ送信する。この結果、ＣＨ１に搭載された表示部２２、３０が変化する。コントローラ１は、例えば、ＣＨ１がオン状態の場合は赤色ＬＥＤである表示部３０を点灯させ、オフ状態の場合は緑色ＬＥＤである表示部２２を点灯させる。
【００５７】
つまり、コントローラ１は、ＣＨ１を押下してＣＨ１に対応する機器をオン操作した場合には、表示部２２を消灯し、表示部３０を点灯する。また、コントローラ１は、ＣＨ１に対応する機器をオフ操作した場合には、点灯状態を反転させる。つまり、表示部２２が点灯し、表示部３０が消灯する。
【００５８】
これらの動作はＣＨ２〜ＣＨ８についても同様である。オン状態、オフ状態と赤、緑の対応は変更しても良い。つまり、オン状態を緑、オフ状態を赤に点灯させても良い。
【００５９】
また実施の形態２で示した調光率または色温度を上昇させるボタンと下降させるボタンの機能を、ＣＨ１〜ＣＨ８の何れかに設定しても良い。例えば、調光率を上昇させるボタンをＣＨ１に、調光率を下降させるボタンをＣＨ２に設定したとする。このとき、ＣＨ１を押下する毎に調光率が５％増加し、ＣＨ２を押下する毎に調光率が５％減少するものとする。
【００６０】
スイッチ６がアドレスを持たない場合には、スイッチ６から調光率の上昇または下降の操作情報と、ＣＨ１に割り付けられた機器のアドレスが送信される。スイッチ６がアドレスを持つ場合には、調光率の上昇または下降の操作情報のみがコントローラ１へ送信される。コントローラ１はあらかじめ設定された割り付け情報に合わせて、ＣＨ１に対応する機器を操作情報に応じて制御する。
【００６１】
また、ＣＨ１を押下した場合、コントローラ１は表示部２２と表示部３０の点灯状態を変化させる。また、ＣＨ２を押下した場合、コントローラ１は表示部２３と表示部３１の点灯状態を変化させる。これにより、調光率の上昇または下降の操作によってボタン１４、１５が正常に押されたことを使用者に通知できる。１回のボタン押下によって変化する調光率または色温度の単位は、端末装置８により設定できる。
【００６２】
また、表示部２２〜３７は通常状態からロック状態への切り替え、または、ロック状態から通常状態への切り替えを使用者に通知する。図４は、実施の形態３に係る表示部２２〜３７の設定パラメータの一例を示す表である。例えば、通常状態においてＣＨ１を一定時間押し続けている間は、ロック状態への移行中であることを使用者へ知らせるため、赤色の表示部３０を点滅させる。ロック状態への移行中であることを示す点滅動作では、例えば０．５秒点灯と０．５秒消灯を２回繰り返す。その後、ロック状態の間は、ロック状態になったことを利用者へ知らせるため、表示部２２と表示部３０を消灯させる。
【００６３】
また、ロック状態中においてＣＨ１を一定時間押し続けている間は、ロック状態の解除中であることを使用者へ知らせるため、緑色の表示部２２と赤色の表示部３０を点滅させる。解除中であることを示す点滅動作では、例えば１．０秒点灯と１．０秒消灯を１回繰り返す。ロック時と解除時において異なる表示パターンを設定することで、使用者が容易に状態を把握できる。
【００６４】
また、ロック状態で通常押下がなされた場合には、スイッチ６からコントローラ１にロック通知信号が送信される。このとき、表示部２２〜３７は、ロック状態でのボタン１４〜２１の操作を使用者に通知する。例えば、ロック状態においてＣＨ１が通常押下された場合、コントローラ１は、ロック状態であることを利用者へ知らせるため、表示部２２、３０を点滅させる。なお、ここではＣＨ１が押下された場合について説明したが、ＣＨ２〜ＣＨ８が押下された場合も、対応する表示部において同様の表示動作が行われる。
【００６５】
図４に示される点灯パターンは一例であって、点灯時間、消灯時間、繰り返し回数および点滅させる表示部２２〜３７の組合せは変更しても良い。例えば、緑色のみ点滅、赤色のみ点滅、または両方を点滅させてもよい。また、点灯時間、消灯時間、繰り返し回数および点滅させる表示部２２〜３７の組合せは、あらかじめ使用者が設定できるものとする。これらの設定は、端末装置８またはデータ設定器１０からスイッチ６に設定データを送信することで、スイッチ６に設定される。
【００６６】
また、状態を移行するためのボタン１４〜２１の押下時間についても、使用者が設定できる。ロックための押下時間と、ロック解除のための押下時間は異なっても良い。ロック解除のための押下時間は、ロックのための押下時間よりも短く、例えば３秒であっても良い。
【００６７】
押下時間、点滅する時間、点滅の色等を使用者が指定できることで、使用者の希望通りの動作設定を実現できる。
【００６８】
本実施の形態では、コントローラ１の指令により表示部２２〜３７が点灯、消灯または点滅する。これに限らず、スイッチ６の指令で表示部２２〜３７が点灯、消灯または点滅しても良い。また、表示部２２〜３７として、図３に示すものに限らず、使用者にスイッチ６の状態を通知できるあらゆる構成を採用できる。例えば、ボタン１４〜２１の各々が有する表示部は２つではなくても良い。
【００６９】
実施の形態４．
本実施の形態では、端末装置８またはデータ設定器１０を使用してスイッチ６の状態を切り替える方法を説明する。本実施の形態では、切り替え部はスイッチ６の状態を遠隔操作により切り替える端末装置８またはデータ設定器１０である。
【００７０】
図３に示すように、スイッチ６には赤外線送受信部３８が搭載されている。赤外線送受信機能を持つデータ設定器１０から赤外線信号が赤外線送受信部３８に送信されると、スイッチ６はロック状態または通常状態への移行を実行する。また、端末装置８からコントローラ１を介して信号が送信されることで、スイッチ６はロック状態または通常状態への移行を実行する。
【００７１】
本実施の形態では、スイッチ６の状態の切り替え方法には、スイッチ６のボタン１４〜２１の押下による方法と、端末装置８またはデータ設定器１０による遠隔操作による方法の２通りがある。このため、端末装置８またはデータ設定器１０による状態の切り替えと、ボタン１４〜２１による状態の切り替えのうち、一方を有効にすること、両方を有効にすること、または両方を無効にすることが、スイッチ６に設定される。このような操作優先度は、端末装置８またはデータ設定器１０により設定される。
【００７２】
図５は、操作優先度を説明する表である。端末装置８またはデータ設定器１０による遠隔操作が優先される場合、スイッチ６は、端末装置８とデータ設定器１０から状態の切り替えの指令を受信した場合のみ、状態の切り替えを実行する。このとき、ボタン１４〜２１の押下による状態の切り替えは実行しない。
【００７３】
また、スイッチ操作が優先される場合、スイッチ６は、ボタン１４〜２１を一定時間押し続けた場合のみ、状態の切り替えを実行する。このとき、端末装置８とデータ設定器１０から状態の切り替えの指令を受信しても状態の切り替を実行しない。
【００７４】
優先度なしに設定された場合には、遠隔操作とスイッチ操作との間に優先度の差は無い。このとき、いずれの操作によっても状態の切り替えが実行される。また、ロック無効に設定された場合には、いずれの操作によっても状態の切り替えが実行不可能となる。
【００７５】
実施の形態５．
複数のボタン１４〜２１のうち１つのボタンで切り替え操作が実施された場合、全てのボタン１４〜２１がロック状態または通常状態に切り替わっても良い。または、切り替え操作が実施されたボタンのみがロック状態または通常状態に切り替わっても良い。
【００７６】
ここでは、切り替え操作が実施されたときに全てのボタン１４〜２１の状態が切り替わる設定をスイッチ単位設定と呼ぶ。スイッチ単位設定では、切り替え操作の実施により、全てのボタン１４〜２１が同様の状態に変更される。また、切り替え操作が実施されたときに、切り替え操作が実施されたボタンのみの状態が切り替わる設定をボタン単位設定と呼ぶ。ボタン単位設定では、ボタン毎に状態を変更する。
【００７７】
スイッチ６で照明器具２を制御する場合において、スイッチ単位設定では、切り替え操作が実施されると、複数のボタン１４〜２１全てについて点灯状態の制御の有効、無効が切り替わる。ボタン単位設定では、１つのボタンで切り替え操作が実施されると、この１つのボタンについて点灯状態の制御の有効、無効が切り替わる。
【００７８】
本実施の形態では、スイッチ単位設定またはボタン単位設定を、端末装置８またはデータ設定器１０によりスイッチ６に設定する。これにより、使用者はスイッチ単位設定と、ボタン単位設定のいずれかを選択できる。
【００７９】
スイッチ６がスイッチ単位設定に設定された場合、ボタン１４〜２１のうち１つを一定時間押し続けることで、ボタン１４〜２１全てがロック状態となる。このとき、ボタン１４〜２１のうち何れのボタンを押下してもスイッチ６はロック通知信号を送信する。
【００８０】
スイッチ６がボタン単位設定に設定された場合、ボタン１４〜２１のうち１つを一定時間押し続けると、押し続けたボタンのみがロック状態になり、他の７個のボタンは通常状態を維持する。このとき、他の７個のボタンでは通常操作が可能になる。次に、他の７個のボタンのうち１つロック状態にすると、ロック状態のボタンが２個になる。同様の手順で、ロック状態にするボタンと、通常状態にするボタンを選択できる。
【００８１】
端末装置８またはデータ設定器１０を使用してロック状態または通常状態に移行する場合、切り替えを指令する信号において、スイッチ単位設定かボタン単位設定かを指定しても良い。これにより、作業前の設定が、スイッチ単位設定とボタン単位設定のいずれであるかに関係なく、使用者の希望通りに状態の移行を実行できる。
【００８２】
実施の形態６．
図６は、実施の形態６に係るスイッチ６のブロック図である。図６を用いてスイッチ６の内部動作および照明制御システムの再起動時の動作を説明する。まず、スイッチ６の基本動作を説明する。スイッチ６はスイッチ入力部４３を備える。スイッチ入力部４３は実施の形態１〜５で説明したボタン１４〜２１である。ボタン１４〜２１が押下されることで、押下信号が制御部３９に入力される。制御部３９は、ボタン１４〜２１の押下情報の送信、表示部４２への表示、外部通信等を行う。制御部３９は例えばマイコンである。
【００８３】
制御部３９は、通信部４４を介して押下されたボタンに対応するアドレスまたはグループ番号の割付データおよび押下情報をコントローラ１へ送信する。通信部４４は、制御通信線７と制御部３９との間の信号の送受信を行うＩ／Ｆ部である。コントローラ１は、割付データに対応する照明器具２またはリレー端末３等に命令信号を発信すると同時に、スイッチ６に対して表示指令を送信する。
【００８４】
表示指令は、通信部４４を介して制御部３９へ入力される。制御部３９は、表示指令に応じて表示部４２の点灯状態を変化させる。表示部４２は、実施の形態３で説明した表示部２２〜３７である。制御部３９は、表示部２２〜３７のうち表示指令に応じた表示部を点灯、消灯または点滅させる。
【００８５】
スイッチ６は、揮発性記憶部４１を備える。揮発性記憶部４１は、上述のスイッチ６の基本動作を実施するために使用されるメモリである。
【００８６】
また、スイッチ６は不揮発性記憶部４０を備える。データ設定器１０から送信された赤外線通信データは赤外線送受信部３８を介して制御部３９に入力され、不揮発性記憶部４０に保存される。不揮発性記憶部４０は例えばフラッシュＲＯＭ（Ｒｅａｄ  Ｏｎｌｙ  Ｍｅｍｏｒｙ）である。また、端末装置８から送信されたデータはコントローラ１を介してスイッチ６に入力される。このデータは、通信部４４を介して制御部３９に入力され、不揮発性記憶部４０に保存される。
【００８７】
不揮発性記憶部４０には、スイッチ６が通常状態またはロック状態のどちらの状態であるかが記憶される。また、不揮発性記憶部４０には切り替え操作が記憶される。つまり、不揮発性記憶部４０にはスイッチ６の切り替え操作におけるボタン１４〜２１の押下時間が記憶される。また、不揮発性記憶部４０には表示部４２への表示パターンが記憶される。表示パターンは、状態移行時に点滅する表示部２２〜３７の組合せ、点灯時間、消灯時間、繰り返し回数を含む。
【００８８】
また、不揮発性記憶部４０には実施の形態４で説明した操作優先度が記憶される。また、不揮発性記憶部４０には、スイッチ６にスイッチ単位設定とボタン単位設定の何れが設定されているかが記憶される。また、不揮発性記憶部４０には照明器具２またはリレー端末３のオンオフの情報が記憶されても良い。
【００８９】
不揮発性記憶部４０に保存されたデータは、スイッチ６の電源オフ後も保持される。このため、照明制御システム１００が一旦停止し再起動した後も、照明器具２またはリレー端末３のオンオフ指令をスイッチ６から再送信できる。これにより、照明器具２またはリレー端末３を、電源オフ前と同じ状態で復帰させることができる。また、スイッチ６は電源オフ前と同じパラメータで継続して動作できる。
【００９０】
また、不揮発性記憶部４０に記憶されたスイッチ６の状態、設定パラメータ等は、端末装置８またはデータ設定器１０のモニタ機能により読み出すことができる。これにより、使用者はスイッチ６の状態および設定を把握できる。
【００９１】
なお、本実施の形態で説明した技術的特徴は適宜に組み合わせて用いてもよい。
【符号の説明】
【００９２】
１  コントローラ、２  照明器具、３  リレー端末、４  人感センサ、５  照度センサ、６  スイッチ、７  制御通信線、８  端末装置、９  ＬＡＮ通信線、１０  データ設定器、１１  制御ユニット、１２  電源装置、１３  光源、１４〜２１  ボタン、２２〜３７  表示部、３８  赤外線送受信部、３９  制御部、４０  不揮発性記憶部、４１  揮発性記憶部、４２  表示部、４３  スイッチ入力部、４４  通信部、８０  調光信号
【図１】
2019185983.tif 000003
【図２】
2019185983.tif 000004
【図３】
2019185983.tif 000005
【図４】
2019185983.tif 000006
【図５】
2019185983.tif 000007
【図６】
2019185983.tif 000008